(57)【特許請求の範囲】
【請求項１】
接点機構に、その接点機構を駆動する駆動機構が並列に配置されて成り、前記駆動機構は、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行う高周波リレーにおいて、
前記基台から立設され、前記カードを外方から弾発的に付勢する緩衝ばねを含み、
前記緩衝ばねは、前記基台に穿設された孔に基端側が嵌り込む支柱部分と、前記支柱部分の遊端側から延設される板ばね部分とを備え、前記板ばね部分の上辺から、前記カードから離反する方向に延びる調整用の把持片を有することを特徴とする高周波リレー。
【請求項２】
前記カードは、樹脂成形品から成ることを特徴とする請求項１記載の高周波リレー。
【請求項３】
前記カードにおいて、緩衝ばねの当接箇所には、半球状の突起または前記板ばね部分の延設方向とは交差する方向に延びる凸条が形成されることを特徴とする請求項１または２記載の高周波リレー。
【請求項４】
前記請求項１〜３のいずれか１項に記載の高周波リレーを用いることを特徴とするテレビジョンチューナ。
【発明の詳細な説明】
【技術分野】
【０００１】
本発明は、テレビジョン放送の受信信号の切換えに用いられる高周波切換え装置などに内蔵される高周波リレーおよびそれを用いるテレビジョンチューナに関する。
【背景技術】
【０００２】
前記テレビジョンチューナでは、前記高周波リレーを内蔵する高周波切換え装置が搭載される製品がある。たとえば、北米向けの製品では、地上波のテレビジョン信号とケーブルテレビの信号との切換を行うようになっている。その場合、切換わりの動作音が、たとえば５０ｄＢ程度も発生し、特に寝室での使用の際に問題になる。前記動作音は、接点機構よりも、それを駆動する駆動機構の方で大きく発生し、接極子が電磁石（鉄心）の磁極面と衝突する際に発生する。
【０００３】
前記駆動機構の動作音は、接極子の動作速度による影響が最も大きく、その動作速度は、電磁石の吸引力と駆動機構のばね力との差や、駆動機構の重量などによって決定される。ここで、前記駆動機構のばね力は磁極面からの距離によって１次曲線で大きくなるのに対して、前記吸引力は磁極面付近で、該磁極面に近付く程、２次曲線で大きくなる。したがって、磁極面に近付く程、ばね力と吸引力との差が大きくなり、前記接極子の動作速度は速くなる。
【０００４】
そこで、特許文献１や２による従来技術では、アーマチュアや接極子と鉄心との間に緩衝ばねを設けることで、前記動作速度を抑制し、衝撃音を低減している。
【特許文献１】特開平４−２４２０３３号公報
【特許文献２】特開平９−１５３３２５号公報
【発明の開示】
【発明が解決しようとする課題】
【０００５】
上述の従来技術では、アーマチュアや接極子と鉄心との間に緩衝ばねを設けているので、周囲のカードや電磁石が邪魔になって、緩衝ばねの弾発力の調整ができないという問題がある。また、調整しようとすると、一旦分解しなければならず、調整した後、組立てる際に、所期の弾発力からずれが生じ、高精度な調整を行うことができないという問題もある。
【０００６】
本発明の目的は、衝撃音や接極部位の摩耗を抑制することができる緩衝ばねの弾発力の調整を容易に行うことができるとともに、高精度な調整を行うことができる高周波リレーおよびそれを用いるテレビジョンチューナを提供することである。
【課題を解決するための手段】
【０００７】
本発明の高周波リレーは、接点機構に、その接点機構を駆動する駆動機構が並列に配置されて成り、前記駆動機構は、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行う高周波リレーにおいて、前記基台から立設され、前記カードを外方から弾発的に付勢する緩衝ばねを含み、前記緩衝ばねは、前記基台に穿設された孔に基端側が嵌り込む支柱部分と、前記支柱部分の遊端側から延設される板ばね部分とを備え、前記板ばね部分の上辺から、前記カードから離反する方向に延びる調整用の把持片を有することを特徴とする。
【０００８】
上記の構成によれば、接点機構に、その接点機構を駆動する駆動機構が並列に配置されて成る高周波リレーにおいて、前記駆動機構が、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行う高周波リレーにおいて、前記接極子の鉄心への衝突によって、衝撃音が発生し、また接極子が摩耗するので、それを抑制するために緩衝ばねを設けるにあたって、接極子と鉄心との間に介在するのではなく、前記緩衝ばねを基台から立設して、カードを外周側から弾発的に付勢するようにする。
【０００９】
したがって、該高周波リレーの筐体を外すだけで、前記緩衝ばねが露出し、弾発力を容易、かつ高精度に調整することができる。また、前記緩衝ばねを、前記基台に穿設された孔に基端側が嵌り込む支柱部分と、前記支柱部分の遊端側から延設される板ばね部分とを備えて構成することで、板ばね部分を捻ることで、弾発力を容易に調整することができる。さらにまた、前記板ばね部分の上辺から、前記カードから離反する方向に延びる調整用の把持片を有することで、調整用のペンチなどをカードと板ばね部分との狭い隙間に差込むのではなく、前記把持片を、上方から前記ペンチなどで挟み込めば調整が可能になり、調整が容易であるとともに、調整精度を向上することもできる。また、工具などで把持片から板ばね部分を拡げ、該板ばね部分がカードに接触しない、すなわち緩衝ばねの弾発力が作用しない状態で、駆動機構の動作を確認することもできる。
【００１０】
また、本発明の高周波リレーでは、前記カードは、樹脂成形品から成ることを特徴とする。
【００１１】
上記の構成によれば、金属片などの弾発性を有する材料から成る緩衝ばねに対して、カードの当接部分が樹脂成形品から成ることで、前記衝撃音を一層削減することができる。
【００１２】
また、本発明の高周波リレーは、前記カードにおいて、緩衝ばねの当接箇所には、半球状の突起または前記板ばね部分の延設方向とは交差する方向に延びる凸条が形成されることを特徴とする。
【００１３】
上記の構成によれば、カードと板ばね部分との摺動を少なく、すなわち摩擦（摩耗）を少なくすることができる。
【００１４】
さらにまた、本発明のテレビジョンチューナは、前記の高周波リレーを用いることを特徴とする。
【００１５】
上記の構成によれば、高周波信号の切換えを行う高周波リレーにおいて、上述のような静音構造の本件高周波リレーをテレビジョンチューナに用いることで、寝室などで使用しても切換えの動作音が気にならず、好適である。
【発明の効果】
【００１６】
本発明の高周波リレーは、以上のように、接点機構に、その接点機構を駆動する駆動機構が並列に配置されて成る高周波リレーにおいて、前記駆動機構が、基台から延びる一対の平衡ばねによってカードが支持され、そのカードに搭載された磁石の両極から延びる一対の接極子のいずれかが前記基台に搭載された電磁石の鉄心と接触することによって前記接点機構の可動接点を変位駆動し、固定接点と接触／離反させることで高周波信号の切換えを行うように構成される場合、前記接極子の鉄心への衝突によって、衝撃音が発生し、また接極子が摩耗するので、それを抑制するために緩衝ばねを設けるにあたって、接極子と鉄心との間に介在するのではなく、前記緩衝ばねを基台から立設して、カードを外周側から弾発的に付勢するようにする。
【００１７】
それゆえ、該高周波リレーの筐体を外すだけで、前記緩衝ばねが露出し、弾発力を容易、かつ高精度に調整することができる。また、前記緩衝ばねを、前記基台に穿設された孔に基端側が嵌り込む支柱部分と、前記支柱部分の遊端側から延設される板ばね部分とを備えて構成することで、板ばね部分を捻ることで、弾発力を容易に調整することができる。さらにまた、前記板ばね部分の上辺から、前記カードから離反する方向に延びる調整用の把持片を有することで、調整用のペンチなどをカードと板ばね部分との狭い隙間に差込むのではなく、前記把持片を、上方から前記ペンチなどで挟み込めば調整が可能になり、調整が容易であるとともに、調整精度を向上することもできる。また、工具などで把持片から板ばね部分を拡げ、該板ばね部分がカードに接触しない、すなわち緩衝ばねの弾発力が作用しない状態で、駆動機構の動作を確認することもできる。
【００１８】
また、本発明のテレビジョンチューナは、以上のように、上述のような静音構造の高周波リレーを用いる。
【００１９】
それゆえ、寝室などで使用しても切換えの動作音が気にならず、好適である。
【発明を実施するための最良の形態】
【００２０】
［実施の形態１］
図１は本発明の実施の第１の形態に係る高周波リレー３の構造を示す斜視図であり、図２はその分解斜視図である。この高周波リレー３は、大略的に、接点機構１１に、その接点機構１１を駆動する駆動機構２１が並列に配置されて構成されている。
【００２１】
前記接点機構１１は、シールドボックス１２内に可動接点１３，１４が設けられ、その可動接点１３，１４が前記駆動機構２１によって参照符号Ｘ方向に変位駆動されることで、固定接点１５，１６；１６，１７と接触／離反し、高周波信号の切換えを行う。したがって、前記可動接点１３，１４が中心導体、シールドボックス１２が外部導体とした同軸線路を構成する。前記可動接点１３，１４は、前記駆動機構２１によって変位駆動される駆動部材１８，１９にそれぞれ保持されている。前記各固定接点１５，１６，１７は、図３で拡大して示すシールドボックス１２内で電気的に絶縁されて立設され、前記可動接点１３，１４とは反対側が、基台であるベース２０の裏面から突出して、端子Ｐ１，Ｐ２，Ｐ３となる。
【００２２】
図４に、前記接点機構１１を模式的に示す。中間の固定接点１６（端子Ｐ２）は、前記可動接点１３，１４の何れとも接触できる共通接点となる。一方、両端の固定接点１５，１７（端子Ｐ１，Ｐ３）は、それぞれ前記可動接点１３，１４とだけ接触できる個別接点となる。図４の例では、固定接点１５は駆動機構２１の非駆動時に可動接点１３が接触して固定接点１６に接続されるノーマリーオンの接点となり、固定接点１７は駆動機構２１の非駆動時に可動接点１４が離反して固定接点１６から遮断されるノーマリーオフの接点となっている。
【００２３】
前記シールドボックス１２には、図３で示すように、その長手方向の両端および中央位置で、固定接点１５，１６，１７から離反している際の可動接点１３，１４をグランドに接続し、アイソレーションを確保するための固定接点１２ａ，１２ｂ，１２ｃが設けられているとともに、前記各固定接点１５，１６，１７の端子Ｐ１，Ｐ２，Ｐ３間に、グランド端子１２ｄが設けられている。また、シールドボックス１２は、上述のように可動接点１３，１４を収納する関係上、隙間無く、できるだけ大面積に形成されることが望ましいが、前記駆動部材１８，１９との干渉を避けるために、切り欠き１２ｅが形成されている。
【００２４】
前記駆動機構２１は、電磁石２２と変位部材２３とを備えて構成される。電磁石２２は、コイル２４の巻回されたボビン２５内に鉄心２６が挿通されるとともに、その鉄心２６の一方の端部２６ａと他方の端部２６ｂとの間に、継鉄２７によって磁路が形成されて構成されている。前記コイル２４の各端部は、外部から励磁電流が与えられる端子２８，２９にそれぞれ接続されている。
【００２５】
一方、前記変位部材２３は、前記駆動部材１８，１９を介して可動接点１３，１４を支持するカード３１と、前記カード３１の一端に設けられる磁石３２と、その磁石３２の両端にそれぞれ接触し、前記鉄心２６の一方の端部２６ａを挟み込む一対の接極子３３，３４と、前記カード３１の他端から延びる一対の平衡ばね３５，３６と、その平衡ばね３５，３６の他端を前記ベース２０に取付ける平衡ばね保持板３７とを備えて構成される。したがって、前記電磁石２２が消磁／励磁することで、カード３１は、図５（ａ）および図５（ｂ）で示すように、平衡ばね３５，３６部分が変形して前記Ｘ方向に変位し、前記可動接点１３，１４を変位駆動することができる。
【００２６】
前記ベース２０内に、前記固定接点１５，１６，１７、シールドボックス１２および電磁石２２を収納し、電磁石２２上に変位部材２３を搭載した後、本実施の形態の高周波リレー３では、樹脂筐体３８が被せられる。
【００２７】
上述のように構成される高周波リレー３において、注目すべきは、本実施の形態では、ベース２０から立設され、前記カード３１を外方から弾発的に付勢し、レシジュアルプレートとしての機能も有する緩衝ばね５１，５２が設けられていることである。前記緩衝ばね５１，５２は、図６でも示すように、前記ベース２０に穿設された孔５３，５４に基端側が嵌り込む支柱部分５１ａ，５２ａと、前記支柱部分５１ａ，５２ａの遊端側から延設される板ばね部分５１ｂ，５２ｂとを備えて構成される。
【００２８】
前記支柱部分５１ａ，５２ａは、軸直角断面がＬ字状に形成されており、これに対応して前記孔５３，５４もＬ字状に形成されており、これによって該緩衝ばね５１，５２は特定の方向に倒れることなく、ベース２０に垂直に立設されるようになっている。前記支柱部分５１ａ，５２ａのＬ字の少なくとも一方の面には、該緩衝ばね５１，５２のベース２０への差込み方向に負荷が小さく、抜き取り方向での負荷が大きくなるように、抜け止め用の斜片５１ｃ，５２ｃが形成されている。
【００２９】
一方、前記カード３１は、樹脂成形品から成り、その緩衝ばね５１，５２の当接箇所には、半球状の突起または前記板ばね部分５１ｂ，５２ｂの延設方向とは交差する方向に延びる凸条（図１および図２では凸条）５５，５６が形成される。
【００３０】
このように構成することで、緩衝ばね５１，５２の板ばね部分５１ｂ，５２ｂは一方の接極子３３，３４の内面が鉄心２６に引きつけられるとき、他方の接極子３４，３３の外面を弾発的に付勢し、電磁石２２の吸引力を小さくすることができる。これによって、接極子３３，３４の動作速度を遅くして、鉄心２６への衝突時の衝撃を緩和し、衝撃音および接極部位の摩耗を抑制することができる。また、高周波リレーに緩衝ばねを設けるにあたって、接極子３３，３４と鉄心２６との間に介在するのではなく、緩衝ばね５１，５２をベース２０から立設して、カード３１を外周側から弾発的に付勢するので、樹脂筐体３８を外すだけで、前記緩衝ばね５１，５２が露出し、板ばね部分５１ｂ，５２ｂを捻ることで、弾発力を容易、かつ高精度に調整することができる。さらにまた、この緩衝ばね５１，５２がレシジュアルプレートの代用として、吸引力の終端をカットすることで、レシジュアルプレートの部品点数を削減することができる。
【００３１】
なお、接極子３３，３４の動作速度を遅くしても、その効果が発揮される以前に、可動接点１３，１４は固定接点１５，１６；１６，１７と接触しているので、該可動接点１３，１４と固定接点１５，１６；１６，１７との間の接触力が低下することはない。
【００３２】
また、金属片などの弾発性を有する材料から成る緩衝ばね５１，５２に対して、カード３１の当接部分が樹脂成形品から成ることで、前記衝撃音を一層削減することができる。さらにまた、緩衝ばね５１，５２の当接箇所に、突起または凸条５５，５６を形成することで、カード３１と板ばね部分５１ｂ，５２ｂとの摺動を少なく、すなわち摩擦（摩耗）を少なくすることができる。
【００３３】
図７は、上述のように構成される高周波リレー３を用いて構成される高周波切換え装置１の上蓋を外して示す斜視図である。この高周波切換え装置１は、金属筐体２内に前記高周波リレー３およびプリント基板４を備えるとともに、金属筐体２に高周波コネクタ５，６，７が取付けられて構成され、テレビジョンチューナに搭載されて、地上波のテレビジョン放送の信号と、ケーブルテレビの信号との切換えに用いられる。前記プリント基板４には、必要に応じて、アンプやインピーダンスマッチングのための素子などが設けられる。
【００３４】
この図７の例では、高周波コネクタ５，６はＦ型コネクタであり、高周波コネクタ７はピン型コネクタであり、高周波コネクタ５，６の中心導体は前記高周波リレー３の固定接点１５，１７（端子Ｐ１，Ｐ３）に接続され、高周波コネクタ７の中心導体は前記高周波リレー３の固定接点１６（端子Ｐ２）に接続される。したがって、前記高周波コネクタ５，６の何れか一方からの入力信号を前記高周波リレー３によって選択して高周波コネクタ７へ出力し、または高周波コネクタ７からの入力信号を前記高周波リレー３によって高周波コネクタ５，６の何れか一方へ出力する。
【００３５】
このように構成される静音構造の高周波切換え装置１をテレビジョンチューナに用いることで、寝室などで使用しても切換えの動作音が気にならず、好適である。
【００３６】
［実施の形態２］
図８は、本発明の実施の第２の形態に係る高周波リレーにおける緩衝ばね５１’，５２’の構造を示す図である。この緩衝ばね５１’，５２’は、前述の図６で示す緩衝ばね５１，５２に類似し、対応する部分には同一の参照符号を付して示し、その説明を省略する。注目すべきは、この緩衝ばね５１’，５２’では、前記板ばね部分５１ｂ，５２ｂの上辺から、前記カード３１から離反する方向に延びる調整用の把持片５１ｄ，５２ｄが形成されていることである。
【００３７】
このように構成することで、弾発力の調整時には、ペンチや調整装置のツールなどをカード３１と板ばね部分５１ｂ，５２ｂとの狭い隙間に差込むのではなく、カード３１から離反する方向に延びるこの把持片５１ｄ，５２ｄを上方から前記ペンチやツールなどで挟み込むことで調整が可能になり、調整が容易であるとともに、調整精度を向上することもできる。また、工具などで把持片５１ｄ，５２ｄから板ばね部分５１ｂ，５２ｂを拡げ、該板ばね部分５１ｂ，５２ｂがカード３１に接触しない、すなわち緩衝ばね５１’，５２’の弾発力が作用しない状態で、駆動機構２１の動作を確認することもできる。
【００３８】
［実施の形態３］
図９および図１０は、本発明の実施の第３の形態に係る高周波リレーにおける緩衝ばね６１，６１’の構造を示す図である。この緩衝ばね６１，６１’は、前述の図６および図８で示す緩衝ばね５１，５２；５１’，５２’にそれぞれ類似し、対応する部分には同一の参照符号を付して示し、その説明を省略する。注目すべきは、この緩衝ばね６１，６１’では、支柱部分６１ａ，６２ａが板状に形成されるとともに、前記支柱部分６１ａ，６２ａが連結片６０によって相互に連結されて一体化されていることである。図９で示す緩衝ばね６１と、図１０で示す緩衝ばね６１’との違いは、前記把持片５１ｄ，５２ｄが形成されているか否かである。
【００３９】
このように構成することで、緩衝ばね６１，６１’の組み込みが容易になり、かつ支柱部分６１ａ，６２ａが板状に形成されていても、２つの支柱部分６１ａ，６２ａの配列方向への傾きを少なくすることができる。
【００４０】
上述の説明では、高周波リレーとして３つの接点１５，１６，１７で切換えを行う例を示しているけれども、２つの接点が２組、一直線上に配列され、隣接する接点間を相互に接続して、３接点の切換えを行う構成としてもよい。
【図面の簡単な説明】
【００４１】
【図１】本発明の実施の第１の形態に係る高周波リレーの構造を示す斜視図である。
【図２】図１で示す高周波リレーの構造を示す分解斜視図である。
【図３】図１および図２で示す高周波リレーにおけるシールドボックスを拡大して示す斜視図である。
【図４】図１および図２で示す高周波リレーにおける接点機構を模式的に示す図である。
【図５】図１および図２で示す高周波リレーにおける変位部材の変位の様子を示す平面図である。
【図６】図１および図２で示す高周波リレーにおける緩衝ばねの構造を示す図である。
【図７】図１および図２で示す高周波リレーを搭載する高周波切換え装置の上蓋を外して示す斜視図である。
【図８】本発明の実施の第２の形態に係る高周波リレーにおける緩衝ばねの構造を示す図である。
【図９】本発明の実施の第３の形態に係る高周波リレーにおける緩衝ばねの構造を示す図である。
【図１０】本発明の実施の第３の形態に係る高周波リレーにおける緩衝ばねの構造を示す図である。
【符号の説明】
【００４２】
１    高周波切換え装置
２    金属筐体
３    高周波リレー
４    プリント基板
５，６，７    高周波コネクタ
１１    接点機構
１２    シールドボックス
１２ａ，１２ｂ，１２ｃ    固定接点
１２ｄ  グランド端子
１２ｅ  切り欠き
１３，１４    可動接点
１５，１６，１７    固定接点
１８，１９    駆動部材
２０    ベース
２１    駆動機構
２２    電磁石
２３    変位部材
２４    コイル
２５    ボビン
２６    鉄心
２６ａ    一方の端部
２６ｂ    他方の端部
２７    継鉄
３１    カード
３２    磁石
３３，３４    接極子
３５，３６    平衡ばね
５１，５２；５１’，５２’；６１，６１’    緩衝ばね
５１ａ，５２ａ；６１ａ，６２ａ    支柱部分
５１ｂ，５２ｂ    板ばね部分
５１ｃ，５２ｃ    斜片
５１ｄ，５２ｄ    把持片
５３，５４    孔
５５，５６    突起または凸条
６０    連結片
Ｐ１，Ｐ２，Ｐ３    端子
【図１】
0004400559.tif 000002
【図２】
0004400559.tif 000003
【図３】
0004400559.tif 000004
【図４】
0004400559.tif 000005
【図５】
0004400559.tif 000006
【図６】
0004400559.tif 000007
【図７】
0004400559.tif 000008
【図８】
0004400559.tif 000009
【図９】
0004400559.tif 000010
【図１０】
0004400559.tif 000011